(57)【要約】【課題】ビス孔部によって規定される作動板の可動範囲をできるだけ大きくすることのできる換気装置及びそれを有したサッシを提供する。【解決手段】装置本体２１の中空部２７には、室内端部上部に作動板２５の上端部を揺動自在に保持する支軸部２７ｃが形成されると共に、支軸部２７ｃよりも室外側寄りに、装置本体２１と直交する障子の框と連結するためのビス孔部５０が長手方向に沿って形成され、ビス孔部５０には、ビスを挿通するための挿通部５０ａが、略円弧状を有すると共に、一方向に向かって開放状となる断面略Ｃ字状に形成され、挿通部５０ａの開放状となる一方向は、揺動して全開状態となった作動板２５の室外面と対向する斜め下方とされてなる。【選択図】図２
2010255291.tif 000002
【特許請求の範囲】
【請求項１】
サッシの障子を構成する框に室内外に渡る通風路を形成してなる装置本体を備え、該装置本体は前記通風路を構成する中空部を有すると共に、該中空部には室内外方向に揺動自在とされ前記通風路の開放状態と閉塞状態を切替えることのできる作動板が設けられた換気装置において、
前記装置本体の中空部には、室内端部上部に前記作動板の上端部を揺動自在に保持する支軸部が形成されると共に、該支軸部よりも室外側寄りに、前記装置本体と直交する障子の框と連結するためのビス孔部が長手方向に沿って形成され、
前記ビス孔部には、ビスを挿通するための挿通部が、略円弧状を有すると共に、一方向に向かって開放状となる断面略Ｃ字状に形成され、前記挿通部の開放状となる一方向は、揺動して全開状態となった前記作動板の室外面と対向する斜め下方であることを特徴とする換気装置。
【請求項２】
前記支軸部は前記作動板の可動範囲側が開口し、該開口の方向は鉛直下方よりも室外側寄りの斜め下方であることを特徴とする請求項１記載の換気装置。
【請求項３】
枠体内に障子を納めてなるサッシにおいて、
前記障子は框体内にパネル体を納めてなり、前記框体のうち一辺を構成する框を請求項１または２記載の換気装置としたことを特徴とするサッシ。
【発明の詳細な説明】
【技術分野】
【０００１】
本発明は、サッシの障子を構成する框に通風路を設けた換気装置及びそれを有するサッシに関し、特に室内外に揺動自在な作動板を内部に備えてなる換気装置及びそれを有するサッシに関する。
【背景技術】
【０００２】
サッシに設けられる障子において、室内外の換気をなすことができるようにしたものが知られている。このために、障子を構成する框の一つを、室内外に渡る通風路を形成すると共に、框内部に揺動自在な作動板を設け、この作動板を揺動させることで通風路を開閉させる換気装置として構成する。
【０００３】
換気装置は、断面中空状に形成された中空部を有し、中空部の室内外面にそれぞれスリットが形成されて通風路を構成する。中空部内には、前述の作動板が設けられていると共に、障子において直交する方向に連結される框とビス止めするためのビス孔部が、長手方向に沿って設けられている。このような換気装置としては、例えば特許文献１に挙げるようなものがある。
【先行技術文献】
【特許文献】
【０００４】
【特許文献１】特開２００１−２３４６７３号公報
【発明の概要】
【発明が解決しようとする課題】
【０００５】
換気装置において、作動板の全開状態の位置は、ビス孔部によって規定される。作動板は、前述のように中空部内で上端を中心に揺動し、ビス孔部と干渉しない範囲で開閉することができるため、作動板の全開位置は、作動板がビス孔部に対して当接する手前の位置となる。作動板は、できるだけ大きく開いた方が、換気量を大きくすることができるが、框を強固に連結するためには、ビス孔部の位置をずらすことは難しく、作動板をあまり大きく開くことができなかった。
【０００６】
本発明は前記課題を鑑みてなされたものであり、ビス孔部によって規定される作動板の可動範囲をできるだけ大きくすることのできる換気装置及びそれを有したサッシを提供することを目的とする。
【課題を解決するための手段】
【０００７】
前記課題を解決するため、本発明に係る換気装置は、サッシの障子を構成する框に室内外に渡る通風路を形成してなる装置本体を備え、該装置本体は前記通風路を構成する中空部を有すると共に、該中空部には室内外方向に揺動自在とされ前記通風路の開放状態と閉塞状態を切替えることのできる作動板が設けられた換気装置において、
前記装置本体の中空部には、室内端部上部に前記作動板の上端部を揺動自在に保持する支軸部が形成されると共に、該支軸部よりも室外側寄りに、前記装置本体と直交する障子の框と連結するためのビス孔部が長手方向に沿って形成され、
前記ビス孔部には、ビスを挿通するための挿通部が、略円弧状を有すると共に、一方向に向かって開放状となる断面略Ｃ字状に形成され、前記挿通部の開放状となる一方向は、揺動して全開状態となった前記作動板の室外面と対向する斜め下方であることを特徴として構成されている。
【０００８】
また、本発明に係る換気装置は、前記支軸部は前記作動板の可動範囲側が開口し、該開口の方向は鉛直下方よりも室外側寄りの斜め下方であることを特徴として構成されている。
【０００９】
さらに、本発明に係るサッシは、枠体内に障子を納めてなるサッシにおいて、
前記障子は框体内にパネル体を納めてなり、前記框体のうち一辺を構成する框を請求項１または２記載の換気装置としたことを特徴として構成されている。
【発明の効果】
【００１０】
本発明に係る換気装置によれば、装置本体の中空部に形成されたビス孔部には、ビスを挿通するための挿通部が、略円弧状であると共に、一方向に向かって開放状となる断面略Ｃ字状に形成され、挿通部の開放状となる一方向は、揺動して全開状態となった作動板の室外面と対向する斜め下方であることにより、作動板がビス孔部に干渉することなく室外側に開放可能な範囲を大きくすることができ、作動板の開放側の可動範囲を大きくして換気量を増大させることができる。
【００１１】
また、本発明に係る換気装置によれば、支軸部は作動板の可動範囲側が開口し、開口の方向は鉛直下方よりも室外側寄りの斜め下方であることにより、作動板を開放側により大きく動作させることができ、作動板を大きく開いて換気量をより増大させることができる。
【図面の簡単な説明】
【００１２】
【図１】本実施形態におけるサッシの室内側から見た正面図である。
【図２】換気装置の縦断面図である。
【図３】換気装置の端部付近拡大斜視図である。
【図４】換気装置と縦框の連結部分付近拡大斜視図である。
【図５】框体の横断面図である。
【図６】作動板の正面図である。
【図７】揺動部材の斜視図である。
【図８】室内部材の側面図である。
【図９】操作部の分解斜視図である。
【図１０】操作基部の背面側から見た斜視図である。
【図１１】スライド体の断面図である。
【発明を実施するための形態】
【００１３】
本発明の実施形態について図面に沿って詳細に説明する。本実施形態では、換気装置を有するサッシについて説明する。図１には、本実施形態におけるサッシの室内側から見た正面図を示している。この図に示すように、本実施形態のサッシは、方形状に枠組みされてなる枠体１内に２枚の障子２を引き違い状に納めて構成されている。
【００１４】
障子２は、方形状に框組みされてなる框体３内にガラス板からなるパネル体４を納めて構成されている。框体３の上辺を構成する框には、室内外を連通させることのできる通風路２０を備えた換気装置１０が用いられる。また、框体３の下辺には下框１１が、縦辺には縦框１２が、それぞれ設けられる。
【００１５】
換気装置１０は、室内側面には通風路２０を構成する多数のスリット３１ｂを備えたフィルタ体２４と、通風路２０の開閉状態を切替える操作部２６が露出している。以下、換気装置１０の構成についてより詳細に説明する。図２には、換気装置１０の縦断面図を示している。
【００１６】
図２に示すように、換気装置１０は概ね框の形状に形成された装置本体２１を有し、装置本体２１には室内外に連通する前述の通風路２０が形成されると共に、通風路２０の室内側端部となる装置本体２１の室内側面には、フィルタ３０をフィルタカバー３１で保持してなるフィルタ体２４が設けられる。
【００１７】
装置本体２１は、室内側に配置される室内部材２２と、室内部材２２とスライド係合して室外側に配置される室外部材２３の二部材で構成されている。これら二部材が組み立てられた状態で、装置本体２１の中央部には断面中空状の中空部２７が形成され、通風路２０を構成する。
【００１８】
装置本体２１のうち室内部材２２は、室外部材２３とスライド係合する金属部２２ａと、金属部２２ａの室内側に配設される樹脂部２２ｂによって構成されている。これによって、換気装置１０の断熱性及び意匠性の向上を図っている。
【００１９】
中空部２７の室内側面を構成する室内部材２２には、フィルタ体２４のフィルタカバー３１に形成されるスリット３１ｂと連通する略同形の室内側スリット２７ａが形成されている。室内側スリット２７ａは、室内部材２２の金属部２２ａと樹脂部２２ｂを貫通するように形成されている。また、中空部２７の室外側面を構成する室外部材２３にも、室外側スリット２７ｂが形成されている。
【００２０】
このように、室内側から順に、フィルタ体２４のスリット３１ｂと、室内部材２２の室内側スリット２７ａ、中空部２７、及び室外部材２３の室外側スリット２７ｂによって、換気装置１０の室内外に渡る通風路２０が構成されている。
【００２１】
中空部２７の室内側端部には、上端部を中心に室内外方向に揺動自在な作動板２８が設けられている。作動板２８は、装置本体２１の長手方向に沿う長尺状に形成されてなり、操作部２６と連係して装置本体２１の長手方向にスライド自在であると共に、該スライドに伴って室内外方向に揺動する。
【００２２】
図２において実線で示す状態において、作動板２８は通風路２０の室内側スリット２７ａを閉塞している。一方、図２において破線で示す状態において、作動板２８は通風路２０を開放している。このように作動板２８が室内外に揺動することにより、通風路２０の開放状態と閉塞状態を切替えることができる。
【００２３】
中空部２７の室内側上端部を構成する室内部材２２の金属部２２ａには、作動板２８を揺動自在に保持する支軸部２７ｃが形成されている。作動板２８の揺動中心となる上端部は、断面略円形状の軸部２８ａとされており、これに対応して支軸部２７ｃは軸部２８ａを保持する断面略逆Ｕ字型をなすように形成されている。
【００２４】
この支軸部２７ｃは、作動板２８の可動範囲側が開口するように下方開放状であると共に、その開放方向が鉛直下方よりも室外側寄りを向くように傾斜状に形成されている。これによって、支軸部２７ｃに保持された作動板２８が、室外側により大きく開放するように揺動範囲を設定することができる。
【００２５】
装置本体２１を構成する室外部材２３には、装置本体２１と直交する縦框１２と連結するためのビス孔部５０と第２ビス孔部５１が、長手方向に沿って形成されている。これらビス孔部による框体３の連結について説明する。図３には、換気装置１０の端部付近拡大斜視図を示している。
【００２６】
図３に示すように、装置本体２１の端部には、スライド係合により一体化された室内部材２２と室外部材２３をスライド不能となるように保持固定する端部材６０が設けられる。なお、装置本体２１の反対側の端部にも、同様の端部材６０が設けられる。端部材６０は、装置本体２１の端面を挟持すると共に、装置本体２１に対して固定されており、これによって装置本体２１を構成する室内部材２２と室外部材２３を長手方向にスライド不能とし、両者を一体化する機能を有している。
【００２７】
また、装置本体２１のうち、室内部材２２は端面が端部材６０に隣接して被覆された状態となっているのに対し、室外部材２３は端面が露出している。そして、室外部材２３に形成されたビス孔部５０も、装置本体２１の端面において露出している。
【００２８】
図４には、換気装置１０と縦框１２の連結部分付近拡大斜視図を示している。この図に示すように、縦框１２は側面を換気装置１０の端面に突き合わせて連結がなされる。ここで、縦框１２には外周側の側面にビス用孔１２ａが上下２箇所に形成されており、これらビス用孔１２ａは、装置本体２１のビス孔部５０及び第２ビス孔部５１の位置に対応して配置されている。
【００２９】
図５には、框体３の横断面図を示している。この図には縦框１２の断面と共に換気装置１０を下方から上方に向かって見上げた状態の内周面が現れている。この図に示すように、換気装置１０を構成する室内部材２２は、端部材６０を介して縦框１２の側面と対向しているのに対し、換気装置１０を構成する室外部材２３の端面と縦框１２の側面は、直接突き合わされた状態となっている。そして、ビス用孔１２ａから挿入されるビス５２は、装置本体２１のビス孔部５０と第２ビス孔部５１にそれぞれ螺合され、縦框１２と換気装置１０を連結する。
【００３０】
図２に示すように、ビス孔部５０は、中空部２７の上面から下方、すなわち中空部２７の内側に伸びるように形成されており、先端部には略円弧状からなり一方向に向かって開放された断面略Ｃ字状の挿通部５０ａを備えている。第２ビス孔部５１は、中空部２７の下面から下方、すなわち中空部２７の外側に伸びるように形成されており、ビス孔部５０と同様の断面略Ｃ字状からなる挿通部５１ａを備えている。
【００３１】
第２ビス孔部５１は、挿通部５１ａの開放方向が鉛直下方を向くように形成されている。一方、中空部２７の内部に配置されるビス孔部５０は、挿通部５０ａの開放方向が、揺動して全開状態となった作動板２８の室外面と対向する斜め下方を向くように形成されている。作動板２８の全開位置は、ビス孔部５０と干渉しない範囲に限定されるが、このようにビス孔部５０において挿通部５０ａの開放方向を傾斜状としたことにより、開放方向が鉛直下方を向いている場合に比べて、作動板２８の全開位置をより開いた状態に設定することができる。これによって、換気量を増大させることができる。
【００３２】
次に、作動板２８の動作構造について説明する。図６には、作動板２８の正面図を示している。作動板２８は、概ね長方形状の平板状に形成されてなり、上端部には前述の軸部２８ａが形成され、一端部側の上下中央位置には、操作部２６と連係するための挿入口２８ｂが形成されている。
【００３３】
また、作動板２８の下辺には、長手方向に沿って切り欠かれた切欠部２８ｃが形成されており、切欠部２８ｃの長手方向中央位置には、下方に突出する突出片２８ｄが形成されている。突出片２８ｄは、下端位置が切欠部２８ｃ以外の作動板２８の下辺と同じ位置となるように形成されている。作動板２８が操作部２６によって長手方向にスライドされるのに伴い、中空部２７内に配置される揺動部材４５によって突出片２８ｄが室内外方向に誘導され、これによって作動板２８が室内外方向に揺動するようにしている。
【００３４】
図７には、揺動部材４５の斜視図を示している。揺動部材４５は、ブロック状の部材からなり、装置本体２１の中空部２７に載置される基部４５ａの上面側に、作動板２８の突出片２８ｄの移動をガイドするガイド部４５ｂが形成されている。ガイド部４５ｂは、作動板２８の突出片２８ｄが長手方向にスライドするのに伴って移動することの可能な間隔を有して対向する壁部４５ｄが設けられており、壁部４５ｄは中空部２７内において装置本体２１の長手方向に対し傾斜状となるように配置される。
【００３５】
ガイド部４５ｂの図中手前側には、略Ｌ字状をなす当接部４５ｃが形成されている。作動板２８が通風路２０を閉塞した状態において、突出片２８ｄは当接部４５ｃに当接した状態となる。
【００３６】
図８には、室内部材２２の側面図を示している。図８において符号Ａの状態が、作動板２８の閉塞状態である。この状態から作動板２８が操作部２６によって長手方向にスライドされると、作動板２８の下端部に形成された突出片２８ｄがガイド部４５ｂに沿って移動し、符号Ｂと符号Ｃの状態を経て、符号Ｄの状態となる。この符号Ｄの状態が、作動板２８の全開状態である。
【００３７】
図８において符号Ａの状態は、前述のように作動板２８の閉塞状態であり、この状態で突出片２８ｄは揺動部材４５の当接部４５ｃに当接した状態となっている。揺動部材４５を室内部材２２に対し位置決めする際には、室内部材２２には予め作動板２８が配置されており、その突出片２８ｄを当接部４５ｃに当接させるようにすることで、揺動部材４５を長手方向に容易に位置出しして取付けることができる。
【００３８】
次に、操作部２６について説明する。図９には、操作部２６の分解斜視図を示している。操作部２６は、室内部材２２の室内面に取付けられる操作基部７０と、操作基部７０に対してスライド自在に取付けられるスライド体７１からなり、スライド体７１を左右にスライド操作することにより、連係する作動板２８を換気装置１０の長手方向にスライドさせることができる。
【００３９】
スライド体７１は、手で持って左右にスライド操作をなすために室内側に突出状となる操作つまみ７５と、操作つまみ７５の左右に伸びる平板部７６と、操作つまみ７５の背面側に設けられ作動板２８に対して嵌合される連係部７７とを有して構成されている。
【００４０】
操作基部７０は、背面側でスライド体７１の平板部７６をスライド自在としており、操作つまみ７５及び平板部７６のうち一方側を露出させる開口部７３を備えている。図１０には操作基部７０の背面側から見た斜視図を示している。この図に示すように、操作基部７０の背面側には、スライド体７１の平板部７６をスライド自在に保持するスライド保持部７２が方形状に突出形成されている。
【００４１】
また、操作基部７０の開口部７３には、背面側に係るように上下それぞれ２つの係合凹部７４が形成されている。これに対応して、スライド体７１には操作つまみ７５の上下位置にそれぞれ係合突起７５ａが形成されている。係合突起７５ａは、スライド体７１のスライド両端部において、それぞれ左右いずれかの係合凹部７４に対して係合する。なお、上下の係合凹部７４と係合突起７５ａは、異なる大きさに形成されており、組立時において操作部２６が上下逆に取付けられることを防止するようにしている。
【００４２】
図１１には、スライド体７１の断面図を示している。この図に示すように、操作つまみ７５と平板部７６は一体的に形成されており、平板部７６の背面と対向するように連係部７７が配置され、操作つまみ７５と連係部７７は、弾性体７８を介して連結されている。弾性体７８は、操作つまみ７５及び平板部７６を、連係部７７に対して室内側に付勢している。
【００４３】
連係部７７は、係合片７７ａにより室内部材２２に対して固定される。また、操作つまみ７５には連係部７７の内部で係止される係止片７５ｂが形成され、係止片７５ｂが係合片７７ａの室内端部に係止することで、弾性体７８の付勢に対抗して静止した状態となる。この状態において、連係部７７と平板部７６との間は隙間が空くようにされている。このため、室内側から弾性体７８の付勢に対抗して操作つまみ７５を押圧することで、操作つまみ７５及び平板部７６は、連係部７７に対して挿入される方向に移動することができる。
【００４４】
スライド体７１が左右いずれか端部に位置しているとき、操作つまみ７５の係合突起７５ａは背面側となる室外側から、操作基部７０の開口部７３に形成された係合凹部７４に対し係合しており、そのままではスライド体７１をスライドできないようにしている。この状態で操作つまみ７５を押圧すると、操作つまみ７５及び平板部７６は室外側に移動し、係合突起７５ａの係合凹部７４に対する係合状態が解除され、スライド体７１をスライドさせることができる。
【００４５】
スライド体７１をスライドさせて、反対側の端部までスライドさせると、操作つまみ７５の係合突起７５ａは操作基部７０に形成された反対側の係合凹部７４の位置に配置され、ここで手を離すと、操作つまみ７５及び平板部７６は弾性体７８の付勢力により室内側に移動し、係合突起７５ａが係合凹部７４に係合する。これによって、反対側のスライド端部においても、スライド体７１をスライド不能とすることができる。
【００４６】
以上、本発明の実施形態について説明したが、本発明の適用は本実施形態には限られず、その技術的思想の範囲内において様々に適用されうるものである。例えば、本実施形態では、框体３を構成する上框をそのまま換気装置１０として構成しているが、上框の下側に並設するように換気装置１０を設けてもよい。この場合には、上框と換気装置１０により、框体３の上辺を構成することとなる。
【符号の説明】
【００４７】
１    枠体
２    障子
３    框体
４    パネル体
１０    換気装置
１２    縦框
１２ａ  ビス用孔
２０    通風路
２１    装置本体
２２    室内部材
２３    室外部材
２４    フィルタ体
２５    作動板
２６    操作部
２７    中空部
２７ｃ  支軸部
２８    作動板
２８ａ  軸部
３０    フィルタ
３１    フィルタカバー
３１ａ  スリット部
３１ｂ  スリット
３１ｃ  固定部
３１ｄ  突片
３２    被着シート
３２ａ  開口部
４５    揺動部材
５０    ビス孔部
５０ａ  挿通部
５１    第２ビス孔部
５１ａ  挿通部
７０    操作基部
７１    スライド体
７２    スライド保持部
７３    開口部
７４    係合凹部
７５    操作つまみ
７６    平板部
７７    連係部
７８    弾性体
【図１】
2010255291.tif 000003
【図２】
2010255291.tif 000004
【図３】
2010255291.tif 000005
【図４】
2010255291.tif 000006
【図５】
2010255291.tif 000007
【図６】
2010255291.tif 000008
【図７】
2010255291.tif 000009
【図８】
2010255291.tif 000010
【図９】
2010255291.tif 000011
【図１０】
2010255291.tif 000012
【図１１】
2010255291.tif 000013